(57)【特許請求の範囲】
【請求項１】
錠の鍵調整システムであって
シリンダ本体、
複数のラックを有するキャリア組立体、
前記シリンダ本体に配置され、前記複数のピンを再配置するために前記複数のラックと一対一で対応する複数のピンを含むプラグ組立体、及び
錠シリンダにより定められるラック整合用工具受けアパーチャ、
を含む錠シリンダと、
基部プレート、及び、
複数の離間された細長い突起、
を含むラック整合工具と、
を備え、
前記複数の突起の各々が、前記複数のラックの対応する１つと係合するようにされた第１の縦方向端部を含み、
該複数の突起の各々が、前記複数のラックの前記対応する１つを、前記複数のラックの各々に共通の第１の所定の位置に再配置する長さ方向寸法にされ、
該複数の突起の各々が、前記基部プレートに連結された第２の縦方向端部を含み、
前記ラック整合工具の前記複数の突起が、前記キャリア組立体を、前記複数のラックが前記複数のピンと係合していない非係合位置に拘束するようにされた、
ことを特徴とする錠の鍵調整システム。
【請求項２】
前記複数の突起の各々が、実質的に同一の長さを有する請求項１に記載の錠の鍵調整システム。
【請求項３】
前記複数の突起の挿入距離が、前記基部プレートと前記錠シリンダとの接触により制約される請求項１に記載の錠の鍵調整システム。
【請求項４】
前記複数のラックの各々のラックにおいて、該ラックの縦方向軸が、該ラックの対応するピンの縦方向軸と平行であり、同軸ではない請求項１に記載の錠の鍵調整システム。
【請求項５】
前記プラグ組立体が、さらに、前記シリンダ本体の縦方向軸に対して平行に移動可能なキャリア組立体を含み、前記キャリア組立体が前記複数のラックを含む請求項１に記載の錠の鍵調整システム。
【請求項６】
各々のピンが、少なくとも１つの歯を含む請求項１に記載の錠の鍵調整システム。
【請求項７】
各々のラックが、少なくとも１つの歯を含む請求項１に記載の錠の鍵調整システム。
【請求項８】
各々のラックが、前記ラックの端部から所定の距離だけ離間された少なくとも１つの歯を含む請求項１に記載の錠の鍵調整システム。
【請求項９】
各々のラックが、前記ラックの端部から所定の距離だけ離間された少なくとも１つの歯を含み、前記距離が錠のブランドによって決まる請求項１に記載の錠の鍵調整システム。
【請求項１０】
各々のラックが、製造業者のキー切り込み部間隔に対応する所定の距離だけ前記ラックの端部から距離をもって位置決めされた、少なくとも１つの歯を含む、請求項１に記載の錠の鍵調整システム。
【請求項１１】
シリンダ本体と、前記シリンダ本体内に配置され、複数のピンと前記ピンを再配置するための一対一で対応する複数のラックとを含むプラグ組立体を備え、工具受けアパーチャが設けられた、錠シリンダのための錠の鍵調整工具であって、
前記錠の鍵調整工具が、
第１の面と、前記第１の面と対向する第２の面とを有する基部プレート、及び、
複数の離間された細長い突起、
を含み、
前記複数の突起の各々が、前記複数のラックの対応する１つと係合するようにされた凹状の第１の縦方向端部を含み、
該複数の突起の各々が、縦方向軸を定め、該複数のラックの対応する１つを、該複数のラックの各々に共通の第１の所定の位置に再配置する長さ方向寸法にされ、
該複数の突起の各々が、前記基部プレートに連結された第２の縦方向端部を含み、前記第２の縦方向端部が、前記第１の縦方向端部より広幅の軸方向断面を有しており、
ハンドルが前記基部プレートの前記第２の面に連結された、
ことを特徴とする錠の鍵調整工具。
【請求項１２】
前記突起の各々が、前記第１の面に対して垂直に結合された請求項１１に記載の錠の鍵調整工具。
【請求項１３】
前記複数の突起の各々が、実質的に同一の長さを有する請求項１１に記載の錠の鍵調整工具。
【請求項１４】
前記第１の面が前記第２の面に対して平行である請求項１１に記載の錠の鍵調整工具。
【請求項１５】
前記基部プレートが環状のセグメント形状に形成されている請求項１１に記載の錠の鍵調整工具。
【請求項１６】
前記ハンドルが前記基部プレートの前記第２の面に対して垂直に連結された請求項１１に記載の錠の鍵調整工具。
【発明の詳細な説明】
【技術分野】
【０００１】
（関連出願に対する相互参照）
本出願は、連続番号１０／２５６，０６６（代理人整理番号５６４５−０３、２００２年９月２６日に出願された、表題「Ｒｅｋｅｙａｂｌｅ  Ｌｏｃｋ  Ａｓｓｅｍｂｌｙ  ａｎｄ  Ｍｅｔｈｏｄ  ｏｆ  Ｏｐｅｒａｔｉｏｎ」）の一部継続出願である。
【背景技術】
【０００２】
従来のシリンダ設計を有する錠組立体の鍵を付け替える場合には、使用者は、シリンダのプラグをシリンダ本体から除去し、適当なピンを置き換えて、新しいキーを用いてシリンダを開くことができるようにすることが要求される。このことは、典型的には、使用者がシリンダ機構を錠セットから除去し、次いで、或る程度までこのシリンダを分解してプラグを除去し、ピンを置き換えることを要求する。このことは、錠セット及びシリンダ機構の実際上の知識を要求し、通常は、鍵屋又は訓練された専門家によってのみ行われる。さらに、この工程は、通常は、特別な工具を採用するものであり、使用者がピン止めキットを利用してピンを交換し、鍵を付け替える工程においてなくなったり、損傷することがある構成部品を置き換えることを必要とする。最後に、適当な工具を用いる専門家らは、容易に、従来のシリンダを開けることができる。
【発明の開示】
【０００３】
本発明の特定の例示的な実施形態は、鍵を付け替えるためのシステムを提供するものであり、このシステムは、鍵を付け替えることができる錠シリンダを備え、該錠シリンダは、シリンダ本体と、該シリンダ本体に配置され、複数のピン及び該複数のピンを再配置するための一対一で対応する複数のラックを含むプラグ組立体と、該鍵を付け替えることができるシリンダにより定められた鍵を付け替えるための工具を受け取るアパーチャとを含み、鍵を付け替えるための工具が、基部プレートと、複数の離間された細長い突起とを含み、該複数の突起の中の各々の突起は、該複数のラックの対応する１つと係合するようにされた第１の縦方向端部を含み、該複数の突起の中の各々の突起は、該複数のラックの該対応する１つの第１の所定の位置に再配置される長さ方向寸法にされ、該第１の所定の位置が該複数のラックの各々に共通であり、該複数の突起の中の各々の突起は、該基部プレートに連結された第２の縦方向端部を含む。
【０００４】
本発明の特定の例示的な実施形態は、鍵を付け替えることができる錠シリンダの鍵を付け替えるための工具を提供し、該錠シリンダは、シリンダ本体と、該シリンダ本体に配置され、複数のピン及び該ピンを再配置するための一対一で対応する複数のラックを含むプラグ組立体とを含み、該錠シリンダが工具受けアパーチャを定め、鍵を付け替えるための工具が、第１の面及び該第１の面と対向する第２の面を定める基部プレートと、複数の離間された細長い突起とを含み、該複数の突起の中の各々の突起は、該複数のラックの対応する１つと係合するようにされた凹状の第１の縦方向端部を含み、該複数の突起の中の各々の突起は、該複数のラックの該対応する１つの第１の所定の位置に再配置される長さ方向寸法にされ、該第１の所定の位置が該複数のラックの各々に共通であり、該複数の突起の中の各々の突起は、該基部プレートに連結された第２の縦方向端部を含み、ハンドルが該基部プレートの該第２面に連結されている。
【０００５】
本発明の特定の例示的な実施形態は、鍵を付け替えることができる錠シリンダの鍵を付け替える方法を提供するもので、該錠シリンダは、シリンダ本体と、該シリンダ本体に配置され、複数のピン及び該ピンを再配置するための一対一で対応する複数のラックを含むプラグ組立体とを含み、該錠シリンダが工具受けアパーチャを定め、鍵を付け替える工具を該工具受けアパーチャの中に挿入し、該複数のラックを第１の所定の高さに再配置する工程、該プラグ組立体を該シリンダ本体に対して、第１の位置から第２の位置まで回転させる工程、及び、該複数のラックを該複数のピンから外す工程を含む。
【０００６】
本発明の特定の例示的な実施形態は、錠の鍵調整システムを提供し、このシステムは錠・シリンダを備え、該錠・シリンダは、シリンダ本体と、該シリンダ本体に配置され、複数のピン及び該複数のピンを再配置するための一対一で対応する複数のラックを含むプラグ組立体と、該錠・シリンダにより定められるラック整合工具受けアパーチャとを含み、ラック整合工具が、基部プレートと、複数の離間された細長い突起とを含み、該複数の突起の中の各々の突起は、該複数のラックの対応する１つと係合するようにされた第１の縦方向端部を含み、該複数の突起の中の各々の突起は、該複数のラックの該対応する１つの第１の所定の位置に再配置される長さ方向寸法にされ、該第１の所定の位置が該複数のラックの各々に共通であり、該複数の突起の中の各々の突起は、該基部プレートに連結された第２の縦方向端部を含み、該ラック整合工具は、該複数のピンと係合していない非係合位置にある該複数のラックを含むキャリア組立体を拘束するようにされている。
【０００７】
本発明の特定の例示的な実施形態は、錠・シリンダのための錠の鍵調整工具を提供し、該錠・シリンダは、シリンダ本体と、該シリンダ本体に配置され、複数のピン及び該ピンを再配置するための一対一で対応する複数のラックを含むプラグ組立体とを含み、該錠・シリンダが工具受けアパーチャを定め、錠の鍵調整工具が、第１の面及び該第１の面と対向する第２の面を定める基部プレートと、複数の離間された細長い突起とを含み、該複数の突起の中の各々の突起は、該突起の第１の部分に配置され、該複数のラックの対応する１つと係合するようにされた凹状の第１の縦方向端部を含み、該複数の突起の中の各々の突起は、縦方向軸を定め、該複数のラックの該対応する１つの第１の所定の位置に再配置される長さ方向寸法にされ、該第１の所定の位置が該複数のラックの各々に共通であり、該複数の突起の中の各々の突起は、該突起の第２の部分に配置され、該基部プレートに連結された第２の縦方向端部を含み、該第２の部分が該第１の部分より広幅の軸方向断面を有し、ハンドルが該基部プレートの該第２面に連結されている。
【０００８】
本発明の特定の例示的な実施形態は、錠シリンダを鍵調整する方法を提供し、該錠シリンダは、シリンダ本体と、該シリンダ本体に配置され、複数のピン及び該ピンを再配置するための一対一で対応する複数のラックを含むプラグ組立体とを含み、該錠シリンダが工具受けアパーチャを定め、該複数のラックが複数のピンと係合されていない間に、該複数のラックを第１の所定の高さに整合する工程、該複数のラックを該第１の所定の高さに整合した後に、キーを該プラグ組立体の中に挿入し、該複数のピンを該キーによって再配置する工程、及び該キーを該プラグ組立体の中に挿入した後で、該複数のラックを該複数のピンと係合させる工程を含む。
【発明を実施するための最良の形態】
【０００９】
本発明及びその広域に渡る、可能性のある実施形態は、添付の図面を参照して、以下の特定の例示的な実施形態の詳細な説明により容易に理解されるであろう。
【００１０】
本発明の例示的な実施形態による錠シリンダ１０を図１ないし図２に示す。錠シリンダ１０は、縦方向軸１１、錠シリンダ本体１２、プラグ組立体１４、及びリテーナ１６を含む。図１においては、プラグ組立体１４は、シリンダ本体１２に対して定位置にある。
【００１１】
錠シリンダ本体１２は、図１５ａないし図１５ｅに見られるように、前端部２２、後端部２４、及び内面２８を定めるシリンダ壁２６を有するほぼ管状の本体２０を含む。シリンダ壁２６は、内側のロッキング・バー係合溝２９及び一対のデテント凹部３０、３２を含む。ほぼＶ字形状のロッキング・バー係合溝２９は、前端部２２からシリンダ本体１２の一部に沿って、縦方向に延びる。第１のデテント凹部３０は、後端部２４に配置され、第１の深さまで延びる。第２のデテント凹部３２は、第１のデテント凹部３０に隣接して配置され、これより少ない深さまで延びる。デテント孔３４は、シリンダ壁２６を半径方向に貫通し、デテント・ボール３６（図２）を受け取る。
【００１２】
プラグ組立体１４は、プラグ本体４０、キャリア組立部品４２、及び複数のばね荷重ピン３８を含む（図２及び図２０ａないし図２０ｂ）。図１６ａないし図１６ｆに示すプラグ本体４０は、プラグ面４４、中間部分４６、及び駆動部分５０を含む。プラグ面４４は、キー溝開口部５２、鍵を付け替えるための工具の開口部５４、及び半径方向外向きに延びて抗穿孔ボール軸受６０（図２）を受け取る一対のチャネル５６を定める。駆動部分５０は、環状壁６２を含み、一対の対向する突起６４が半径方向内向きに延びて、スピンドル又はトルク・ブレード（いずれも図示せず）を駆動するようになっている。駆動部分５０は、さらに、その周長に形成された一対のスロット６６を含み、リテーナ１６を受け取って、プラグ本体４０をシリンダ本体１２に拘束する。
【００１３】
中間部分４６は、シリンダ部分として形成され、第１の縦方向の平坦な表面７２及びばね荷重ピン３８を受け取るための複数のチャネル７４を有する主要部分７０を含む。チャネル７４は、プラグ本体４０の縦方向軸に対して横方向に延び、平坦な表面７２に対して平行に延びる。第２の平坦な表面７６は、第１の平坦な表面７２対して垂直に延び、凹部８０を定めて、保持キャップ８２（図２及び図２２ａないし図２２ｄ）を受け取る。チャネル７４は、第２の平坦な表面７６からプラグ本体４０を部分的に貫通し、該チャネルの側壁は第１の平坦な表面７２に対して開いている。第１の平坦な表面７２は、さらに、複数の弾丸形状のラック係合構成７８を含む。ばね荷重デテント・ボール３６(図２)を受け取るための孔８６は、第１の平坦な表面７２の反対側から半径方向内向きに延びる。
【００１４】
キャリア組み立て部品４２（図２、図６、及び図１０）は、キャリア９０（図１７ａなし図１７ｅ)、複数のラック９２（図１８ａないし図１８ｂ）、ばね把持部９６（図１９ａないし図１９ｂ）、ばね荷重ロッキング・バー９４（図２１ａないし図２１ｂ）、及び戻りばね９８（図２）を含む。キャリア９０は、プラグ本体４０の主要部分７０に対して相補的なシリンダ部分形態の本体１００を含み、該キャリア９０と該主要部分７０を組み合わせて、錠シリンダ本体１２の内側に嵌まるシリンダを形成するようにする。キャリア９０は、湾曲面１０２及び平面１０４を含む。湾曲面１０２は、ロッキング・バー凹部１０６及びばね把持部凹部１０８を含む。ロッキング・バー凹部１０６は、さらに、一対の戻りばね受け孔１０９（図１７ｃ）を含み、ロッキング・バー戻りばねを受け取る。平面１０４は、キャリアの縦方向軸に対して垂直に延びる複数の平行なラック受けスロット１０２を含む。半円形の溝１１１は、平面１０４に沿って、キャリア９０の縦方向軸に対して平行に延びる。キャリア９０の後端部は、凹部１１２を含み、戻りばね９８を受け取る。
【００１５】
各々のばね荷重ピン３８は、ピン１１３及び付勢ばね１１５を含む。図２０ａないし図２０ｂに示すピン１１３は、環状ギア歯１１４をもつほぼ管状であり、中央縦方向孔１１６が付勢ばね１１５（図２)を受け取るようになっている。図１８ａないし図１８ｂに示すラック９２は、図７及び図１２に示すように、環状ギア歯１１４をピン１１３上に係合するように構成された複数のギア歯１１２と、図１２に示すように、弾丸形状のラック係合構成７８を平坦な表面７２上に係合する半円形凹部１２４とを有するピン係合面を含む。ラック９２は、さらに、複数の抗ピッキング溝１２８及び一対のロッキング・バー係合溝１３２を含む第２表面１２６を含む。
【００１６】
図２１ａないし図２２ｂに示すばね荷重ロッキング・バー９４は、キャリア９０におけるロッキング・バー凹部１０６に嵌まるような大きさにされ、かつそのように構成されており、Ｖ字形状のロッキング・バー係合溝２９に嵌まるように構成された三角縁１３４を含む。三角縁１３４の反対側には、ロッキング・バー９４は、図１２に示すように、ラック９２に形成されたロッキング・バー係合溝１３２と係合するように構成された一対の縦方向に延びるギア歯１３６を含む。
【００１７】
図２２ａないし図２２ｄに示すばね保持キャップ８２は、上面１４２及び下面１４４を有する曲線部分１４０を含む。曲線部分１４０の厚さは、図７及び図１２に示すように、上面１４２がプラグ本体４０の中間部分と同一平面になるように、該曲線部分１４０が凹部８０に嵌まることを可能にするように設定される。複数のばね整合先端部１４６は、下面１４４から延びて、ばね１４８と係合する。さらに、一対のキャップ保持先端部１５２が下面１４４から延びて、プラグ本体４０に形成された整合開口部１５４と係合する（図１６ｅないし図１６ｆ）。
【００１８】
錠シリンダ１０を組み立てるためには、ピン１１３及びばね１１５は、プラグ本体４０のチャネル７４に配置される。ばね保持キャップ８２は、キャップ保持先端部１５２が整合開口部１５４に配置され、ばね整合先端部１４６がばね１１５と係合した状態で、凹部８０に置かれる。キャリア組み立て部品４２は、ギア歯１３６が、ラック９２に形成されたロッキング・バー係合溝１３２と係合する状態で、該ラック９２をスロット１０２の中に置き、ばね荷重ロッキング・バー９４をロッキング・バー凹部１０６の中に置くことにより、組み立てられる。ばね把持部９６は、キャリア９０のばね把持部凹部１０８に配置される。有効なキー１６０がキー溝５２の中に挿入され、戻りばね９８が戻りばね凹部１１２の中に圧縮され、図３に示すように、キャリア組み立て部品がプラグ本体４０に隣接して置かれる。プラグ組立体１４は、錠シリンダ本体１２に置かれ、リテーナ１６はプラグ本体４０に形成されたスロット６６に配置されて、プラグ組立体１４をシリンダ本体１２内に拘束する。ここでは、この有効なキー１６０によって錠シリンダ１０に鍵がかけられた。
【００１９】
キー１６０を挿入することなく適切に鍵がかけられた錠シリンダ１０を図４ないし図７に示す。ピン１１３は、チャネル７４の底部まで付勢され、キー１６０の切断部に基づいて、ラック９２がキャリア９０のスロット１０２における種々の位置に配置される。この構成においては、ロッキング・バー９４は、キャリア９０からシリンダ本体１２の溝２９に係合するように延びて、プラグ組立体１４がシリンダ本体１２において回転することを阻止し、ラック９２はピン１１３と係合する。さらに、弾丸形状の構成７８は、ラック９２における凹部１１１と不整合にされ、したがって、錠シリンダ１０の縦方向軸に対して平行なラック９２の移動を妨げて、該錠シリンダ１０の鍵が付け替えられることを阻止する。
【００２０】
有効なキー１６０が定位置に挿入された錠シリンダ１０の内部構成を図８ないし図１２に示す。この構成においては、ロッキング・バー９４は、図８、図９、及び図１２に示すように、シリンダ本体１２における溝２９から自由に外にカムされる。キー１６０のビットは、チャネル７４におけるピン１１３を持ち上げ、これによってラック９２をスロット１０２に再配置する。再配置された場合には、ラック９２は、ロッキング・バー係合溝１３２を、ロッキング・バー９４上の延ばされたギア歯１３６と整合させるように配置される。キー１６０が回転されたとき、ロッキング・バー９４は、溝２９から自由に外にカムされる。同時に、弾丸形状の構成７８は、図１２に示すように、ラック９２における凹部１１１と整合されて、ラック９２及びキャリア９０が錠シリンダ１０の縦方向軸に対して平行に移動することを可能にする。
【００２１】
錠シリンダ１０の鍵を付け替えるためには、図１３ないし図１４に示すように、有効なキー１６０がキー溝５２の中に挿入され、ばね把持部９６が、シリンダ本体１２に形成された第２のデテント凹部３２の中に移動するまで、定位置からおよそ４５度だけ反時計回りに回転される。紙クリップその他の尖った装置１６２が工具開口部５４の中に挿入され、ばね把持部９６が第１のデテント凹部３０の中に移動するまで、キャリア９０が錠シリンダ１０の縦方向軸に対して平行に移動するように該キャリア９０に対して押し付けられて、その後尖った装置１６２が除去される。ばね把持部９６が第１のデテント凹部３０に配置されたことにより、ラック９２は、図１４に示すように、ピン１１３から外れる。有効なキー１６０が除去され、第２の有効なキーが挿入されて、反時計回りに回転されて、ばね把持部９６を解除する。ばね把持部９６が第１のデテント凹部３０を離れたとき、キャリア９０は、戻りばね９８によりプラグ面４４の方向に付勢されて、ラック９２をピン１１３と再係合させる。この時点では、錠シリンダ１０は第２の有効なキーによって鍵をかけられており、第１の有効なキー１６０は錠シリンダ１０を作動しなくなっている。錠シリンダ１０は、上述の手順において、第１及び第２のキーを第２及び第３の有効なキーとそれぞれ置き換えることにより、第３の有効なキーに嵌まるように鍵を付け替えることができる。
【００２２】
本発明の例示的な実施形態の代替的な実施形態２１０を図２３ないし図２９に示す。代替的な実施形態は、図２３に示すものと同じ構成要素を含むが、幾つかの構成要素は修正されている。機能上は、両方の実施形態は同じである。
【００２３】
図２３及び図２４に示す修正されたハウジング２１２は、底部に沿って縦方向に延びる複数のアパーチャ２１４と、ハウジングの側壁に形成された一対の垂直溝２１６、２１８とを含む。さらに、側壁は、除去可能な側壁パネル２２０を含む。四角形の穴２１４は、人為的なオーバーライド工具を用いることを可能にするように配置される。中央溝２１６は、ハウジングの側壁を貫通するアパーチャ２２２を含む。アパーチャ２２２は、使用者が、人為的なオーバーライド作動中にロッキング・バーを移動することを可能にする。側部パネル２２０は、錠シリンダのマスター・キーを変更する間、特定の作動を行うように利用できる。
【００２４】
図２３及び図２５に示す修正されたピン付勢ばね２２６は、一定ではない直径を含んでおり、該ばね２２６の各端部における最後の幾つかのコイルが小さい直径を有している。この先細部は、より小さい物理高さにおいてより大きいばね力を可能にする。
【００２５】
図２３及び図２６に示す修正されたばね把持部２２８は、中央Ｕ字形状部分２３０及び該Ｕ字形状部分２３０から延びる一対の腕部２３２を含む。
【００２６】
図２３及び図２７に示す修正されたキャリア２３６は、ばね把持部２２８をばね把持部凹部２３８に拘束するための手段を含む。図示実施形態においては、ばね把持部凹部２３８の中央において外向きに突出するガイド２４０と、該ガイド２４０から半径方向にずらされた一対の固定具２４２とを含む。ガイド２４０は、ばね把持部２２８が凹部２３８において横方向に移動することを阻止する一方で、上述のように、これが半径方向外向きに移動してハウジング１２、２１２と係合することを可能にする。固定具２４２は、ばね把持部２２８の腕部２３２と係合して該腕部２３２が外向きに広がることを阻止し、これによって、該ばね把持部２２８の圧縮力を、Ｕ字形状部分２３０を外向きに延ばしてハウジング１２、２１２と係合させるように向ける。
【００２７】
図２３及び図２８に示す修正されたピン２４４は、上述の複数のピン１１３のギア歯ではなく、単一のギア歯２４６を含む。傾斜側部２４８を含むことが好ましい単一のギア歯２４６は、鍵を付け替える工程において、より滑らかなラックとの係合を与える。
【００２８】
図２３及び図２９に示す修正されたラック２５０は、傾斜ギア歯を含み、鍵を付け替える工程において、ピンとの係合を向上させる。さらに、ラック９２における一対のロッキング・バー係合溝１３２は、単一のロッキング・バー係合溝２５１と置き換えられる。
【００２９】
図２３及び図２９に示す修正されたロッキング・バー２５２は、ロッキング・バー９４より薄く、一対のギア歯１３６を単一のギア歯２５６と置き換えて、三角縁１３４に丸みをつけたものである。薄い設計は、ロッキング・バー凹部１０６におけるロッキング・バー２５２のどのような揺れも減少させる。
【００３０】
図３１は、例えば、細長いほぼ環状のセグメント又は細長いほぼドーナツ型のセグメント形状を有する基部３１２を含むことができる、人為的なオーバーライド又は鍵を付け替えるための工具３１０の例示的な実施形態の斜視図である。基部３１２には、複数の突起３１４が取り付けられており、これらの各々は、例えば、細長いほぼ四角形状を有している。突起３１４の各々は、基部３１２の内面３１３に対してほぼ垂直に取り付けることができ、その端部３１６は、プラグ組立体３２０の複数のラック３４０（図３４に示す）の対応する１つと係合するあらゆる形状、例えば、凹形状のような形状を有することができる。基部３１２の外面３１５には、例えば、細長いほぼ四角形状を有するハンドル３１８を取り付けることができる。ハンドル３１８の縦方向軸は、基部３１２の縦方向軸に対してほぼ垂直及び／又はほぼ平行とすることができる。代替的な実施形態においては（図示せず）、基部３１２は、細長いほぼ四角形状を有してもよいし、又は、基部３１２が、錠シリンダの中への鍵を付け替えるための工具３１０の挿入深さを制限するように働くのであれば、どのような他の形状を有してもよい。さらに別の代替技術においては、別の工具３１０の構成によりその挿入深さを制限することができる。
【００３１】
図３２は、本発明の錠シリンダ３５０の実施形態と係合された本発明の鍵を付け替えるための工具３１０の例示的な実施形態の正面図であり、図３３はその斜視図である。図３２及び図３３を参照すると、鍵を付け替えるための工具３１０は、或る方向に沿って、すなわち、ハンドル１８が、プラグ組立体３２０のプラグ面３２２を通って定められたキー溝３２３に対して平行である状態で、錠シリンダ３５０の中に挿入することができる。基部３１２は、シリンダ組立体３３０の外面にほぼ適合するように構成することができる。
【００３２】
図３４は、本発明の錠シリンダ３５０の実施形態と係合された本発明の鍵を付け替えるための工具３１０の例示的な実施形態の部分分解図である。突起３１４は、通常の高さのラック３４０と係合する及び／又は整合することができる。
【００３３】
図３５は、本発明のシリンダ本体３３０の例示的な実施形態の前斜視図であり、図３６はその後面図、図３７はその側面図、図３８はその正面図、図３９はその後斜視図である。図３４ないし図３９を参照すると、シリンダ本体３３０は、鍵を付け替えるための工具３１０がプラグ組立体３２０の複数のラックに近づくことを可能にする、複数の鍵を付け替えるための工具のアパーチャ３３２を定めることができる。シリンダ本体３３０は、さらに、ロッキング・バー解除工具のアパーチャ３３５を定めることができ、これによって、ロッキング・バー解除工具３６０（図４０に示す）は、シリンダ本体３３０のロッキング・バー凹部３３７と係合しているロッキング・バー９４（少なくとも図２、図３、図７、図８、図１２、及び図２１Ａに示す）に近づくことができ、及び／又は、ここから場所を移すことができる。
【００３４】
図４０は、本発明の錠シリンダ３５０の例示的な実施形態と係合された本発明のロッキング・バー解除工具３６０の例示的な実施形態の斜視図である。紙クリップほど単純とすることができるロッキング・バー係合工具３６０は、シリンダ本体３３０に定められたロッキング・バー係合工具孔３３５を通して挿入することができ、ロッキング・バー９４（少なくとも図２、図４、図７、図８、図１２、及び図２１Ａに示す）がラック９２と係合して、ピン１１３を整合し、該ピン１１３の移動を抑制及び／又は制限することができるようになる。
【００３５】
図４１は、本発明の鍵を付け替えるための方法４１０の例示的な実施形態のフローチャートである。工程４１２では、鍵を付け替えるための工具をシリンダ本体の１つ又はそれ以上のアパーチャを通して挿入して、該鍵を付け替えるための工具の突起がプラグ組立体のラックと係合するようにすることができる。鍵を付け替えるための工具の挿入深さは、該鍵を付け替えるための工具の基部形状又は突起長のような鍵を付け替えるための工具の幾何学的形状、及び／又は、シリンダ本体及び／又はプラグ組立体の幾何学的形状により制限されることになる。例えば、シリンダ本体が細長い円形外部を有する場合には、鍵を付け替えるための工具の基部の内面及び／又は接触面を、細長い環状セグメントとして成形することができ、そのセグメントの内径は、シリンダ本体の外径とほぼ適合する。
【００３６】
工程４１３では、鍵を付け替えるための工具は、複数のラックを再配置して、ラックが通常の高さで整合されるようにすることができる。例えば、各々のラックは基準点を有することができ、鍵を付け替えるための工具の完全な挿入は、各々の基準点をシリンダ本体及び／又はプラグ組立体の軸に対して平行な線に沿って整合させるようにすることができる。別の例として図１２を参照すると、弾丸形状構成７８の各々は、ラック９２における凹部１１１と整合して、該ラック９２及びキャリア９０を錠シリンダ１０の縦方向軸に対して平行に移動させるのを可能にすることができる。図１２及び図４０を参照すると、ラック９２が整合された状態で、ロッキング・バー係合工具３６０をシリンダ本体３３０のロッキング・バー係合工具アパーチャ３３５の中に挿入し、ロッキング・バー９４をラック９２における切り抜き部と係合させるようにして、ラック間の相対的な移動を阻止し、結果として、該ラック９２と係合するピン１１３の間の相対的な移動を阻止することができる。
【００３７】
工程４１４では、ラックがロッキング・バー９４によってこのように「錠された」状態で、鍵を付け替えるための工具を錠組立体から除去することができる。次いで、プラグ組立体を、シリンダ本体内の学び位置まで回転させることができる。この回転は、有効なキーを用いることなく行うことができ、どのようなキーを用いることによっても行うことができることが好ましい。図１３及び図１４を参照すると、プラグ組立体がおよそ４５度からおよそ９０度まで反時計回りに回転されたとき、ロッキング・バーはラックとの係合状態で拘束される。
【００３８】
工程４１５では、プラグ組立体が学びモードにある状態で、ラックをピンから離れるように押し付けることにより、ラックをピンから外すことができる。図１３及び図１４を参照すると、紙クリップその他の尖った装置１６２のようなキャリア再配置工具を工具開口部５４の中に挿入し、ばね把持部９６が第１のデテント凹部３０に移動するまで、キャリア９０を錠シリンダ１０の縦方向軸に対して平行に移動させるように該キャリア９０に対して押し付けて、その後尖った装置１６２を除去することができる。ばね把持部９６が第１デテント凹部３０に配置されたことにより、キャリア９０は、ばね把持部９６により適当な位置に錠され、ラック９２はピン１１３から外され、該ラック９２は弾丸形状の構成７８によって適当な位置に錠される（図６に示す）。
【００３９】
工程４１６では、新しいキーをプラグ組立体のキー溝の中に挿入することができる。新しいキーが挿入されたとき、ピンは、キーのランプ部を上下に進むことができる。キーが完全に挿入されると、ピンの高さは、新しいキーと相関することになる。
【００４０】
工程４１７では、ラックをピンと再係合することができる。図１３及び図１４を参照すると、新しいキーを時計回りに回転させて、ばね把持部９６を解除することができる。ばね把持部９６が第１デテント凹部３０を離れるとき、キャリア９０は、戻りばね９８によってプラグ面４４の方向に付勢されて、ラック９２をピン１１３と再係合させる。この時点では、錠シリンダ１０は新しいキー（すなわち「新しい」キー）によって鍵がかけられており、以前有効であったどのようなキー１６０も錠シリンダ１０を作動しなくなっている。このようにして、新しいキーは、プラグ組立体を学び位置から離れるように回転させることにより学ばせることができる。
【００４１】
したがって、鍵を付け替えるための工具により、有効なキーを必要とすることなく、錠組立体を学びモードに置くことができ、これにより、プラグ組立体をシリンダ本体から除去することなく、新しいキーの形状を読み取り、これに適合させることができる。
【００４２】
図４２は、本発明の錠シリンダ１０の例示的な実施形態と係合された本発明の鍵調整工具４２０の例示的な実施形態の部分分解図である。鍵調整工具４２０は、錠シリンダを、競合者のキー切込み部を含むどのような適当なキー切り込み部（多くの場合、「ビット間隔」として知られる）にも適するように構成することができる。
【００４３】
鍵調整工具４２０は、例えば、該鍵調整工具の突起４２４の縦方向端部４２６が、場所を移されたキャリア組立体４２（少なくとも図２、図４、図１４に示す）におけるラック・アパーチャ１０３（図１７に示す）と係合されるときに、シリンダ本体３３０（図３９に示す）内の対応する工具のアパーチャを少なくとも部分的に満たすように成形され、及び／又はそのような寸法にされたキャリア・リテーナ４２７を含むことができること以外は、鍵を付け替えるための工具３１０（図３１に示す）と実質的に同一とすることができる。
【００４４】
したがって、図２及び図４２を参照すると、鍵調整工具４２０は、ラック９２が対応するするピン１１３と係合されていない（多分、キャリア組立体４２の中に挿入されていないために）、場所を移されたキャリア組立体４２が、シリンダ本体１２に対して移動すること及び／又はその元の位置に戻るように移動することを阻止することができる。すなわち、鍵調整工具４２０を錠シリンダ１０の中に挿入することにより、「通常の」位置から「場所を移された」位置まで移動されたキャリア組立体４２をシリンダ本体１２に対する適切な位置に保持することができ、これによって、該キャリア組立体４２の中に挿入されたラック９２を、鍵調整工具４２０のキャリア・リテーナ位置４２７がシリンダ本体１２の対応するアパーチャから除去される及び／又は少なくとも部分的にそれを満たさなくなるまで、及び／又は、鍵調整工具４２０が錠シリンダ１０から除去されるまで、ピン１１３と係合していない状態で拘束することを可能にすることができる。鍵調整工具４２０は、さらに、挿入されたラック９２及び／又は該挿入されたラック９２上の構成を所定の高さに整合することができる。
【００４５】
鍵調整工具４２０は、例えば、細長い環状のセグメント又は細長いドーナツ型のセグメント形状を有する基部４２２を含むことができる。基部４２２には、複数の突起４２４が取り付けられており、これらの各々は、例えば、細長いほぼ四角形状を有している。突起４２４の各々は、基部４２２の内面４２３にほぼ垂直に取り付けることができ、例えば、凹形状の端部４２６を有することができる。基部４２２の外面４２５には、例えば、細長いほぼ四角形状を有するハンドル４２８を取り付けることができる。ハンドル４２８の縦方向軸は、基部４２２の縦方向軸に対してほぼ垂直及び／又はほぼ平行とすることができる。代替的な実施形態においては（図示せず）、基部４２２は、細長いほぼ四角形状を有してもよいし、又は、該基部４２２が、錠シリンダの中への鍵を付け替えるための工具４２２の挿入深さを制限するように働くのであれば、どのような他の形状を有してもよい。さらに別の代替技術においては、キャリア・リテーナ４２７のような別の工具４２０の構成によりその挿入深さを制限することができる。
【００４６】
各々のキャリア・リテーナ４２７は、突起４２４と隣接していても、接触していても、及び／又は一体であってもよく、例えば、細長い四角形状を有することができる。各々のキャリア・リテーナ４２７の長さは、対応する突起４２４より短くてもよい。プラグ本体の縦方向軸に対して平行な方向、及び／又は、突起とキャリア・リテーナの組み合わせが基部４２２に取り付けられる線に沿って測定された各々の突起／キャリア・リテーナの組み合わされた幅は、突起４２４の幅より長くてもよい。図３４ないし図３９を参照すると、少なくとも１つの突起とキャリア・リテーナの組み合わせの配向及び幅は、少なくとも、シリンダ本体３３０における対応する鍵を付け替えるための工具のアパーチャ３３２の幅を実質的に満たすのに充分とすることができ、これによって、場所を移されたキャリア組立体４２（少なくとも図２、図４、図１４に示す）が元の位置に戻ることを阻止する。
【００４７】
図２８Ａ及び図２８Ｂに示すように、ピン２４４は、標準化された寸法及び形状を含むことができ、標準的な位置に配置された単一の歯２４６を含むことができる。図２９Ａ及び図２９Ｂに示すように、ラック２５０は、ピン２４６とかみ合い、キー切断部の深さの増分（多くの場合「ビット間隔」として知られる）と対応する間隔を有する。ラック２５０の歯の間隔は、キー及び／又は錠組立体の特定の製造業者、ブランド又はモデルにカスタマイズ化することができる。例えば、Ｓｃｈｌａｇｅのキー及び錠セットは、１１ミルのキー切断部の増分を有する傾向があり、Ｋｗｉｋｓｅｔは１５ミルのキー切断部の増分を用いる傾向がある。したがって、Ｓｃｈｌａｇｅのキーと併せて用いることが意図されるラック２５０は、１１ミルの歯の間隔を有することができ、Ｋｗｉｋｓｅｔのキーと併せて用いることが意図されるラック２５０は、１５ミルの歯の間隔を有することができる。
【００４８】
或いは、２つの標準的なラックのいずれかを、特定のキー切断部の深さに対応するように選択することができる。例えば、Ｋｗｉｋｓｅｔが１５ミルのキー切断部の増分を用いる傾向があると仮定すると、第１の標準的なＫｗｉｌｓｅｔラックＡは、例えば、ラックの一端のような利便性がある位置から測定して、１５ミル、４５ミル、及び７５ミルにおいて、１つ又はそれ以上の歯の係合ゾーン（例えば、谷）を有することができる。第２の標準的なＫｗｉｋｓｅｔラックＢは、３０ミル、６０ミル、及び９０ミルにおいて谷を有することができる。所定のピンに対する特定のキーの切断部の深さに応じて、適当なラックを選ぶことができる。そのため、キーが、６０ミルの切断部の深さを有する場合には、ラックＢが対応するピンのために選択され、これのために用いられることになる。
【００４９】
図４３は、本発明の鍵調整するための方法４３０の例示的な実施形態のフローチャートである。
【００５０】
工程４３２では、ラック・キャリアをピンから離れるように押し付けて、該キャリアが「通常の」位置から「場所が移された」位置まで移動するようにすることができる。このことは、紙クリップのようなキャリア再配置工具を、プラグの正面に見出されるキャリア再配置工具のアパーチャの中に挿入することにより達成され、該工具がキャリアに係合し、これを後方に押し付けることができるようになる。キャリアの場所が移された状態で、図４２に示すような鍵調整工具及び／又はラック整合工具を、シリンダ本体内のアパーチャの中に挿入することができる。鍵調整工具は、キャリアを場所が移された位置に拘束することができるため、キャリア再配置工具をここで除去することができる。
【００５１】
鍵調整工具の挿入深さは、該鍵調整工具の基部の形状又はプロング長のような鍵調整工具の幾何学的形状、及び／又は、シリンダ本体及び／又はプラグ組立体の幾何学的形状により制限されることになる。例えば、シリンダ本体が細長い円形の外部を有する場合には、鍵調整工具の基部の内面及び／又は接触面を、細長い環状セグメントとして成形することができ、そのセグメントの内径は、シリンダ本体の外径とほぼ適合する。
【００５２】
工程４３３では、ラックは、潜在的に、キー及び／又は錠組立体の製造業者、ブランド、及び／又は型に対応するように、及び／又は、キー切断部に対応するように選択することができる。選択されたラックは、キャリア組立体のそれぞれのスロットの中に挿入することができる。工程４３４では、鍵調整工具は、挿入されたラックを整合することができる。
【００５３】
工程４３５では、キーをプラグ組立体のキー溝の中に挿入することができる。キーが挿入されたとき、ピンは、キーのランプ部を上下に進んで、キーの平らな部分に載る及び／又はこれと整合することができる。キーが完全に挿入されると、ピン及び／又はピンの歯の高さは、キーの形状と相関することになる。
【００５４】
工程４３６及び工程４３７では、鍵調整工具を除去することによりラックをピンと係合して、キャリアばねが、キャリアをその「通常の」位置に戻るように付勢する及び／又は再配置することができる。
【００５５】
工程４３８では、キーは、プラグ組立体を学び位置から離れるように回転させることにより、学ばせることができる。
【００５６】
このようにして、鍵調整工具により、プラグ組立体をシリンダ本体から除去することなく、錠組立体をキーの形状と適合するように組み立てることができる。
【００５７】
上述の例示的な実施形態は、もちろん、本発明の広さを制限するものとして解釈されるべきではない。修正その他の代替的な構成は、特許請求の範囲に定義される本発明の精神及び範囲内になることが明らかである。
【図面の簡単な説明】
【００５８】
【図１】本発明による錠シリンダを示す。
【図２】図１の錠シリンダの分解図である。
【図３】ロッキング・バーが錠キング位置に配置されて、プラグ組立体を錠シリンダ本体に錠するようにされたキャリア組み立て部品を示すプラグ組立体の斜視図である。
【図４】図３のプラグ組立体の平面図である。
【図５】図３のプラグ組立体の部分切欠側面図である。
【図６】図３のプラグ組立体の部分分解図である。
【図７】ピン、ラック、及びロッキング・バーの互いに対する位置を示し、シリンダ本体が錠された構成にある、ピンの１つにおいて横方向に取られた、図３のプラグ組立体及びシリンダ本体を通る断面図である。
【図８】有効なキーが挿入され、ロッキング・バーが非ロッキング位置に配置されて、プラグ組立体が錠シリンダ本体において回転することを可能にする状態を示す、図３のプラグ組立体の斜視図である。
【図９】図８のプラグ組立体の平面図である。
【図１０】図８のプラグ組立体の部分切欠側面図である。
【図１１】図８のプラグ組立体の部分分解図である。
【図１２】ピン、ラック、及びロッキング・バーの互いに対する位置を示し、シリンダ本体が錠されていない構成にある、ピンの１つにおいて横方向に取られた、図８のプラグ組立体及びシリンダ本体を通る断面図である。
【図１３】図８と同様であるが、キャリア組立体が鍵を付け替えるための位置まで軸方向に移動された斜視図である。
【図１４】図１３のプラグ組立体の平面図である。
【図１５ａ】本発明において用いられるシリンダ本体の図である。
【図１５ｂ】本発明において用いられるシリンダ本体の図である。
【図１５ｃ】本発明において用いられるシリンダ本体の図である。
【図１５ｄ】本発明において用いられるシリンダ本体の図である。
【図１５ｅ】本発明において用いられるシリンダ本体の図である。
【図１６ａ】本発明において用いられるシリンダプラグ本体の図である。
【図１６ｂ】本発明において用いられるシリンダプラグ本体の図である。
【図１６ｃ】本発明において用いられるシリンダプラグ本体の図である。
【図１６ｄ】本発明において用いられるシリンダプラグ本体の図である。
【図１６ｅ】本発明において用いられるシリンダプラグ本体の図である。
【図１６ｆ】本発明において用いられるシリンダプラグ本体の図である。
【図１７ａ】本発明において用いられるキャリアの図である。
【図１７ｂ】本発明において用いられるキャリアの図である。
【図１７ｃ】本発明において用いられるキャリアの図である。
【図１７ｄ】本発明において用いられるキャリアの図である。
【図１７ｅ】本発明において用いられるキャリアの図である。
【図１７ｆ】本発明において用いられるキャリアの図である。
【図１８ａ】本発明において用いられるラックの図である。
【図１８ｂ】本発明において用いられるラックの図である。
【図１９ａ】本発明において用いられるばね把持部の図である。
【図１９ｂ】本発明において用いられるばね把持部の図である。
【図２０ａ】本発明において用いられるピンの図である。
【図２０ｂ】本発明において用いられるピンの図である。
【図２１ａ】本発明において用いられるロッキング・バーの図である。
【図２１ｂ】本発明において用いられるロッキング・バーの図である。
【図２２ａ】本発明において用いられるばね保持キャップの図である。
【図２２ｂ】本発明において用いられるばね保持キャップの図である。
【図２２ｃ】本発明において用いられるばね保持キャップの図である。
【図２２ｄ】本発明において用いられるばね保持キャップの図である。
【図２３】本発明の代替的な実施形態の分解斜視図である。
【図２４ａ】錠シリンダの代替的な実施形態の図である。
【図２４ｂ】錠シリンダの代替的な実施形態の図である。
【図２４ｃ】錠シリンダの代替的な実施形態の図である。
【図２４ｄ】錠シリンダの代替的な実施形態の図である。
【図２４ｅ】錠シリンダの代替的な実施形態の図である。
【図２５】本発明の代替的な実施形態を通って取られた横方向断面図である。
【図２６ａ】ばね把持部の代替的な実施形態の図である。
【図２６ｂ】ばね把持部の代替的な実施形態の図である。
【図２７ａ】キャリアの代替的な実施形態の図である。
【図２７ｂ】キャリアの代替的な実施形態の図である。
【図２７ｃ】キャリアの代替的な実施形態の図である。
【図２７ｄ】キャリアの代替的な実施形態の図である。
【図２７ｅ】キャリアの代替的な実施形態の図である。
【図２８ａ】ピンの代替的な実施形態の図である。
【図２８ｂ】ピンの代替的な実施形態の図である。
【図２９ａ】ラックの代替的な実施形態の図である。
【図２９ｂ】ラックの代替的な実施形態の図である。
【図３０ａ】ロッキング・バーの代替的な実施形態の図である。
【図３０ｂ】ロッキング・バーの代替的な実施形態の図である。
【図３１】本発明の鍵を付け替えるための工具の例示的な実施形態の斜視図である。
【図３２】本発明の錠シリンダの例示的な実施形態と係合された本発明の鍵を付け替えるための工具の例示的な実施形態の正面図である。
【図３３】本発明の錠シリンダの例示的な実施形態と係合された本発明の鍵を付け替えるための工具の例示的な実施形態の斜視図である。
【図３４】本発明の錠シリンダの例示的な実施形態と係合された本発明の鍵を付け替えるための工具の例示的な実施形態の部分分解図である。
【図３５】本発明のシリンダ本体の例示的な実施形態の前斜視図である。
【図３６】本発明のシリンダ本体の例示的な実施形態の後面図である。
【図３７】本発明のシリンダ本体の例示的な実施形態の平面図である。
【図３８】本発明のシリンダ本体の例示的な実施形態の正面図である。
【図３９】本発明のシリンダ本体の例示的な実施形態の後斜視図である。
【図４０】本発明の錠シリンダの例示的な実施形態と係合された本発明のキャリアの場所を移す工具の例示的な実施形態の斜視図である。
【図４１】本発明の鍵を付け替える方法の例示的な実施形態のフローチャートである。
【図４２】本発明の錠シリンダの例示的な実施形態と係合された本発明の鍵調整工具の例示的な実施形態の部分分解図である。
【図４３】本発明の鍵調整する方法の例示的な実施形態のフローチャートである。
【図１】
0004559414.tif 000002
【図２】
0004559414.tif 000003
【図３】
0004559414.tif 000004
【図４】
0004559414.tif 000005
【図５】
0004559414.tif 000006
【図６】
0004559414.tif 000007
【図７】
0004559414.tif 000008
【図８】
0004559414.tif 000009
【図９】
0004559414.tif 000010
【図１０】
0004559414.tif 000011
【図１１】
0004559414.tif 000012
【図１２】
0004559414.tif 000013
【図１３】
0004559414.tif 000014
【図１４】
0004559414.tif 000015
【図１５Ａ】
0004559414.tif 000016
【図１５Ｂ】
0004559414.tif 000017
【図１５Ｃ】
0004559414.tif 000018
【図１５Ｄ】
0004559414.tif 000019
【図１５Ｅ】
0004559414.tif 000020
【図１６Ａ】
0004559414.tif 000021
【図１６Ｂ】
0004559414.tif 000022
【図１６Ｃ】
0004559414.tif 000023
【図１６Ｄ】
0004559414.tif 000024
【図１６Ｅ】
0004559414.tif 000025
【図１６Ｆ】
0004559414.tif 000026
【図１７Ａ】
0004559414.tif 000027
【図１７Ｂ】
0004559414.tif 000028
【図１７Ｃ】
0004559414.tif 000029
【図１７Ｄ】
0004559414.tif 000030
【図１７Ｅ】
0004559414.tif 000031
【図１７Ｆ】
0004559414.tif 000032
【図１８Ａ】
0004559414.tif 000033
【図１８Ｂ】
0004559414.tif 000034
【図１９Ａ】
0004559414.tif 000035
【図１９Ｂ】
0004559414.tif 000036
【図２０Ａ】
0004559414.tif 000037
【図２０Ｂ】
0004559414.tif 000038
【図２１Ａ】
0004559414.tif 000039
【図２１Ｂ】
0004559414.tif 000040
【図２２Ａ】
0004559414.tif 000041
【図２２Ｂ】
0004559414.tif 000042
【図２２Ｃ】
0004559414.tif 000043
【図２２Ｄ】
0004559414.tif 000044
【図２３】
0004559414.tif 000045
【図２４Ａ】
0004559414.tif 000046
【図２４Ｂ】
0004559414.tif 000047
【図２４Ｃ】
0004559414.tif 000048
【図２４Ｄ】
0004559414.tif 000049
【図２４Ｅ】
0004559414.tif 000050
【図２５】
0004559414.tif 000051
【図２６Ａ】
0004559414.tif 000052
【図２６Ｂ】
0004559414.tif 000053
【図２７Ａ】
0004559414.tif 000054
【図２７Ｂ】
0004559414.tif 000055
【図２７Ｃ】
0004559414.tif 000056
【図２７Ｄ】
0004559414.tif 000057
【図２７Ｅ】
0004559414.tif 000058
【図２８Ａ】
0004559414.tif 000059
【図２８Ｂ】
0004559414.tif 000060
【図２９Ａ】
0004559414.tif 000061
【図２９Ｂ】
0004559414.tif 000062
【図３０Ａ】
0004559414.tif 000063
【図３０Ｂ】
0004559414.tif 000064
【図３１】
0004559414.tif 000065
【図３２】
0004559414.tif 000066
【図３３】
0004559414.tif 000067
【図３４】
0004559414.tif 000068
【図３５】
0004559414.tif 000069
【図３６】
0004559414.tif 000070
【図３７】
0004559414.tif 000071
【図３８】
0004559414.tif 000072
【図３９】
0004559414.tif 000073
【図４０】
0004559414.tif 000074
【図４１】
0004559414.tif 000075
【図４２】
0004559414.tif 000076
【図４３】
0004559414.tif 000077